(57)【要約】【課題】不断流工事を行う際には、不断流の状態で仕切弁及び開閉弁を取り付けることができ、長期間留置する際には、仕切弁及び開閉弁を取り外しておくことができる管ユニットを提供すること。【解決手段】基部フランジ１５は、連結フランジ１８との連結部３１を密封状に覆うとともに、連結フランジ１８の移動を案内する密封案内片２１を有し、連結フランジ１８を基部フランジ１５に連結するとともに、連結フランジ１８と基部フランジ１５との連結部３１に挿入部１６，１７を開閉する開閉弁２２を挿入可能な間隙部３２を形成する間隙形成手段２９が設けられており、間隙形成手段２９により連結部３１に間隙部３２を形成し、間隙部３２に、開閉弁取付部２４に取り付けられた開閉弁箱部２３内の開閉弁２２を挿入するとともに、仕切弁取付部２０に取り付けられた蓋部材３５を取り外して、仕切弁取付部２０に仕切弁箱部１４を取り付ける。【選択図】図４
2013249864.tif 000002
【特許請求の範囲】
【請求項１】
流体が流れる管路部と、前記管路部に該管路部を仕切る仕切弁を着脱可能に取り付けるための仕切弁手段と、を備える不断流状態での施工に適した管ユニットであって、
前記仕切弁手段は、前記仕切弁を挿入可能な挿入部を有する基部フランジと、前記挿入部を開閉する開閉弁を収容した開閉弁箱部と、該開閉弁箱部が着脱可能に取り付けられる開閉弁取付部と、前記基部フランジの挿入部と連続する挿入部を有して前記基部フランジに連結される連結フランジと、前記仕切弁を収容した仕切弁箱部と、該仕切弁箱部が着脱可能に取り付けられる仕切弁取付部と、該仕切弁取付部に取り付けられて前記挿入部を閉塞する蓋部材と、を有し、
前記基部フランジは、前記連結フランジとの連結部を密封状に覆うとともに、前記連結フランジの移動を案内する密封案内片を有し、前記連結フランジを前記基部フランジに連結するとともに、該連結フランジと該基部フランジとの連結部に前記挿入部を開閉する開閉弁を挿入可能な間隙部を形成する間隙形成手段が設けられており、
前記間隙形成手段により前記連結部に前記間隙部を形成し、該間隙部に、前記開閉弁取付部に取り付けられた前記開閉弁箱部内の開閉弁を挿入するとともに、前記仕切弁取付部に取り付けられた前記蓋部材を取り外して、該仕切弁取付部に前記仕切弁箱部を取り付けることを特徴とする管ユニット。
【請求項２】
前記間隙形成手段は、前記連結フランジを前記基部フランジに向けて押し付ける押付片と、該押付片の押付方向と同方向に進退されて該押付片及び前記基部フランジに螺合される螺合部材と、を有していることを特徴とする請求項１に記載の管ユニット。
【請求項３】
前記開閉弁取付部は、前記密封案内片に設けられるとともに、該密封案内片に、前記開閉弁が案内される案内孔が形成されることを特徴とする請求項１または２に記載の管ユニット。
【請求項４】
前記管路部の周面には、分岐部が設けられることを特徴とする請求項１ないし３のいずれかに記載の管ユニット。
【請求項５】
前記管路部の両端部に設けられて上流側及び下流側の各流体管に接続される接続部を備え、該上流側及び下流側の接続部は、いずれもが挿口部、若しくはいずれもが受口部として構成されることを特徴とする請求項４に記載の管ユニット。
【請求項６】
流体が流れる管路部と、前記管路部に該管路部を仕切る仕切弁を着脱可能に取り付けるための仕切弁手段と、を備える不断流状態での施工に適した管ユニットに対する仕切弁の設置方法であって、
前記仕切弁手段は、前記仕切弁を挿入可能な挿入部を有する基部フランジと、前記挿入部を開閉する開閉弁を収容した開閉弁箱部と、該開閉弁箱部が着脱可能に取り付けられる開閉弁取付部と、前記基部フランジの挿入部と連続する挿入部を有して前記基部フランジに連結される連結フランジと、前記仕切弁を収容した仕切弁箱部と、該仕切弁箱部が着脱可能に取り付けられる仕切弁取付部と、該仕切弁取付部に取り付けられて前記挿入部を閉塞する蓋部材と、を有し、
前記基部フランジは、前記連結フランジとの連結部を密封状に覆うとともに、前記連結フランジの移動を案内する密封案内片を有し、前記連結フランジを前記基部フランジに連結するとともに、該連結フランジと該基部フランジとの連結部に前記挿入部を開閉する開閉弁を挿入可能な間隙部をする間隙形成手段が設けられており、
前記開閉弁箱部を前記開閉弁取付部に取り付ける開閉弁取付工程と、
前記間隙形成手段により前記連結部に前記間隙部を形成する間隙形成工程と、
前記開閉弁を前記間隙部に挿入して前記挿入部を閉塞する開閉弁閉塞工程と、
前記仕切弁取付部に取り付けられた前記蓋部材を取り外して前記仕切弁箱部を前記仕切弁取付部に取り付ける仕切弁取付工程と、
を含むことを特徴とする管ユニットに対する仕切弁の設置方法。
【発明の詳細な説明】
【技術分野】
【０００１】
本発明は、流体が流れる管路部と、前記管路部に該管路部を仕切る仕切弁を着脱可能に取り付けるための仕切弁手段と、を備える不断流状態での施工に適した管ユニット及び管ユニットに対する仕切弁の設置方法に関する。
【背景技術】
【０００２】
従来、地中に埋設された水道本管中の流水を止めることなく、不断水の状態で水路の変更をしようとする場合に使用される水路変更用分岐管継手がある。このような分岐管継手では、水道本管の水路を変更しようとする箇所に、２つ割りに構成された止水弁（仕切弁）を嵌挿するための弁筐を有する止水管と、２つ割りに構成された分岐管路継手を有する分岐継手管と、を設置するようにしている。（例えば、特許文献１参照）。尚、近年では、水道本管を設置する際に、止水管と分岐継手管とが一体的に形成された管ユニットも製造されている。
【０００３】
また、本管部から上方に分岐するようにして突出する分岐管部を設け、この分岐管部を開閉する開閉弁と、分岐管部の上端に接合される弁蓋内に収容される仕切弁体（仕切弁）と、を備える仕切弁装置がある。このような装置では、作業完了後に仕切弁体を撤去して所定の保管場所に保管することで、仕切弁体の経時的劣化を防止するようにしている（例えば、特許文献２参照）。
【先行技術文献】
【特許文献】
【０００４】
【特許文献１】実公昭６０−３４３０号公報（第１頁、第１図）
【特許文献２】特開２００１−２７３４９号公報（第２頁、第２図）
【発明の概要】
【発明が解決しようとする課題】
【０００５】
しかしながら、特許文献１に記載の水路変更用分岐管継手にあっては、作業完了後も止水管の止水弁（仕切弁）や分岐継手管に接続される分岐用制水弁（仕切弁）が、そのまま留置されるようになっており、長期間留置されると止水弁や分岐用制水弁に腐食が生じてしまい、再び使用する場合に作動しなくなるという問題がある。
【０００６】
また、特許文献２に記載の仕切弁装置にあっても、作業完了後に仕切弁体（仕切弁）を撤去することはできるが、分岐管部を開閉する開閉弁が、そのまま留置されるようになっており、長期間留置されると開閉弁に腐食が生じてしまい、再び使用する場合に作動しなくなるという問題がある。
【０００７】
本発明は、このような問題点に着目してなされたもので、不断流工事を行う際には、不断流の状態で仕切弁及び開閉弁を取り付けることができ、長期間留置する際には、仕切弁及び開閉弁を取り外しておくことができる管ユニット及び管ユニットに対する仕切弁の設置方法を提供することを目的とする。
【課題を解決するための手段】
【０００８】
前記課題を解決するために、本発明の管ユニットは、
流体が流れる管路部と、前記管路部に該管路部を仕切る仕切弁を着脱可能に取り付けるための仕切弁手段と、を備える不断流状態での施工に適した管ユニットであって、
前記仕切弁手段は、前記仕切弁を挿入可能な挿入部を有する基部フランジと、前記挿入部を開閉する開閉弁を収容した開閉弁箱部と、該開閉弁箱部が着脱可能に取り付けられる開閉弁取付部と、前記基部フランジの挿入部と連続する挿入部を有して前記基部フランジに連結される連結フランジと、前記仕切弁を収容した仕切弁箱部と、該仕切弁箱部が着脱可能に取り付けられる仕切弁取付部と、該仕切弁取付部に取り付けられて前記挿入部を閉塞する蓋部材と、を有し、
前記基部フランジは、前記連結フランジとの連結部を密封状に覆うとともに、前記連結フランジの移動を案内する密封案内片を有し、前記連結フランジを前記基部フランジに連結するとともに、該連結フランジと該基部フランジとの連結部に前記挿入部を開閉する開閉弁を挿入可能な間隙部を形成する間隙形成手段が設けられており、
前記間隙形成手段により前記連結部に前記間隙部を形成し、該間隙部に、前記開閉弁取付部に取り付けられた前記開閉弁箱部内の開閉弁を挿入するとともに、前記仕切弁取付部に取り付けられた前記蓋部材を取り外して、該仕切弁取付部に前記仕切弁箱部を取り付けることを特徴としている。
この特徴によれば、不断流工事を行う際には、密封案内片により密封状態を保ったまま、間隙形成手段により連結部に間隙部を形成し、この間隙部に、開閉弁取付部に取り付けられた開閉弁箱部内の開閉弁を挿入して挿入部を閉塞し、仕切弁取付部に取り付けられた蓋部材を取り外すとともに、仕切弁を収容した仕切弁箱部を仕切弁取付部に取り付けることで、不断流の状態で仕切弁を取り付けることができる。また、長期間留置する際には、仕切弁及び開閉弁の双方の弁体を仕切弁手段によって取り外しておくことができる。
【０００９】
本発明の管ユニットは、
前記間隙形成手段は、前記連結フランジを前記基部フランジに向けて押し付ける押付片と、該押付片の押付方向と同方向に進退されて該押付片及び前記基部フランジに螺合される螺合部材と、を有していることを特徴としている。
この特徴によれば、螺合部材を進退させることで、押付片の位置を変更することができ、この押付片の位置の変更により連結部に間隙部を形成することができる。
【００１０】
本発明の管ユニットは、
前記開閉弁取付部は、前記密封案内片に設けられるとともに、該密封案内片に、前記開閉弁が案内される案内孔が形成されることを特徴としている。
この特徴によれば、基部フランジが有する密封案内片に、開閉弁を有する開閉弁箱部が取り付けられ、開閉弁を安定的に支持できるとともに、開閉弁が案内孔により案内されて、間隙形成手段により形成された間隙部に、開閉弁をスムーズに挿入できる。
【００１１】
本発明の管ユニットは、
前記管路部の周面には、分岐部が設けられることを特徴としている。
この特徴によれば、分岐部に迂回用の分岐管を取り付けて流体の迂回経路を確保し、仕切弁により管路部を閉塞して不断流工事を行うことができる。
【００１２】
本発明の管ユニットは、
前記管路部の両端部に設けられて上流側及び下流側の各流体管に接続される接続部を備え、該上流側及び下流側の接続部は、いずれもが挿口部、若しくはいずれもが受口部として構成されることを特徴としている。
この特徴によれば、分岐部に迂回用の分岐管を取り付けて流体の迂回経路を確保するための管ユニットとして敷設する際に、管ユニットの向きを変更するだけで、上流側及び下流側のいずれの管ユニットとしても対応させることができる。
【００１３】
本発明の管ユニットに対する仕切弁の設置方法は、
流体が流れる管路部と、前記管路部に該管路部を仕切る仕切弁を着脱可能に取り付けるための仕切弁手段と、を備える不断流状態での施工に適した管ユニットに対する仕切弁の設置方法であって、
前記仕切弁手段は、前記仕切弁を挿入可能な挿入部を有する基部フランジと、前記挿入部を開閉する開閉弁を収容した開閉弁箱部と、該開閉弁箱部が着脱可能に取り付けられる開閉弁取付部と、前記基部フランジの挿入部と連続する挿入部を有して前記基部フランジに連結される連結フランジと、前記仕切弁を収容した仕切弁箱部と、該仕切弁箱部が着脱可能に取り付けられる仕切弁取付部と、該仕切弁取付部に取り付けられて前記挿入部を閉塞する蓋部材と、を有し、
前記基部フランジは、前記連結フランジとの連結部を密封状に覆うとともに、前記連結フランジの移動を案内する密封案内片を有し、前記連結フランジを前記基部フランジに連結するとともに、該連結フランジと該基部フランジとの連結部に前記挿入部を開閉する開閉弁を挿入可能な間隙部をする間隙形成手段が設けられており、
前記開閉弁箱部を前記開閉弁取付部に取り付ける開閉弁取付工程と、
前記間隙形成手段により前記連結部に前記間隙部を形成する間隙形成工程と、
前記開閉弁を前記間隙部に挿入して前記挿入部を閉塞する開閉弁閉塞工程と、
前記仕切弁取付部に取り付けられた前記蓋部材を取り外して前記仕切弁箱部を前記仕切弁取付部に取り付ける仕切弁取付工程と、
を含むことを特徴としている。
この特徴によれば、不断流工事を行う際には、密封案内片により密封状態を保ったまま、間隙形成手段により連結部に間隙部を形成し、この間隙部に、開閉弁取付部に取り付けられた開閉弁箱部内の開閉弁を挿入して挿入部を閉塞し、仕切弁取付部に取り付けられた蓋部材を取り外すとともに、仕切弁を収容した仕切弁箱部を仕切弁取付部に取り付けることで、不断流の状態で仕切弁を取り付けることができる。また、長期間留置する際には、仕切弁及び開閉弁の双方の弁体を仕切弁手段によって取り外しておくことができる。
【図面の簡単な説明】
【００１４】
【図１】実施例１における敷設状態の管ユニットを示す側断面図である。
【図２】開閉弁箱部が取り付けられた状態の管ユニットを示す側断面図である。
【図３】開閉弁箱部が取り付けられた状態の管ユニットを示す平面図である。
【図４】仕切弁箱部が取り付けられた状態の管ユニットを示す側断面図である。
【図５】仕切弁を挿入した状態の管ユニットを示す側断面図である。
【図６】図４における仕切弁取付装置を示す拡大側断面図である。
【図７】実施例２における管ユニットを示す側断面図である。
【発明を実施するための形態】
【００１５】
本発明に係る管ユニット及び管ユニットに対する仕切弁の設置方法を実施するための形態を実施例に基づいて以下に説明する。
【実施例１】
【００１６】
実施例１に係る管ユニット及び管ユニットに対する仕切弁の設置方法につき、図１から図６を参照して説明する。本実施例の管ユニット１は、例えば、地中に埋設される上水道用のダクタイル鋳鉄製であり、管路部は断面視略円形状に形成され、内周面がモルタル層で被覆されている。尚、本発明に係る管ユニット１は、その他鋳鉄、鋼等の金属製、あるいは石綿、コンクリート製、塩化ビニール、ポリエチレン若しくはポリオレフィン製等であってもよい。更に尚、管ユニット１の内周面はモルタル層に限らず、例えばエポキシ樹脂等により被覆されてもよく、若しくは適宜の材料を粉体塗装により管ユニット１の内周面に被覆してもよい。また、本実施例では管ユニット１内の流体は、本実施例の上水に限らず、例えば工業用水や農業用水、下水等の他、ガスやガスと液体との気液混合体であっても構わない。尚、図１から図６において紙面右側を管ユニット１の上流側として説明する。
【００１７】
図１に示すように、本実施例の管ユニット１は、上流側及び下流側の端部のいずれもが挿口部２，３となっている。そして、それぞれの挿口部２，３が地中に略水平方向に埋設される流体管路を構成する流体管４，５の受口部６，７に接続される。尚、管ユニット１の両端部の挿口部２，３が本発明における接続部となっている。また、本実施例における管ユニット１は、流体が流れる管路部８を有し、管路部８の周面には、水平方向に分岐された分岐部９が設けられている。更に、管ユニット１が敷設された状態では、分岐部９の開口が蓋部材１０により閉塞されている。
【００１８】
尚、後述するように、本実施例の管ユニット１は、分岐部９に迂回用の分岐管１１を取り付けて流体の迂回経路を確保することで（図３参照）、迂回経路にて流体を流し続けるとともに、管ユニット１の下流側の流体管４にて工事を行えるようになっており、不断流状態での施工に適した管ユニット１となっている。
【００１９】
また、管路部８における分岐部９よりも若干下流側の部位には、本発明における仕切弁手段としての仕切弁取付装置１２が設けられている。尚、この仕切弁取付装置１２は、管路部８の上部側に設けられ、管路部８を仕切るための後述する仕切弁１３を収容した仕切弁箱部１４が着脱されるようになっている。更に、分岐部９の部位にも、仕切弁取付装置１２’が設けられている。尚、この仕切弁取付装置１２’は、分岐部９の上部側に設けられ、分岐部９を仕切るための後述する仕切弁１３を収容した仕切弁箱部１４が着脱されるようになっている。また、これら２つの仕切弁取付装置１２，１２’は、同様の構成となっているため、管路部８を仕切るため仕切弁取付装置１２を例にして以下に説明する。
【００２０】
図１に示すように、仕切弁取付装置１２は、管路部８の上面に一体的に形成された基部フランジ１５を有している。この基部フランジ１５には、後述する仕切弁１３を挿入可能な挿入部１６が形成されている。また、基部フランジ１５の上面には、基部フランジ１５の挿入部１６と連続する挿入部１７を有する連結フランジ１８が取り付けられている。尚、挿入部１７は、連結フランジ１８の上面に設けられた仕切弁取付部２０に開口されている。これらの挿入部１６，１７は、管路部８の内部から仕切弁取付部２０まで垂直に延設されている。
【００２１】
また、基部フランジ１５の上部には、連結フランジ１８の下端部の鍔部１９の周囲を密封状に覆うとともに、後述する連結フランジ１８の移動を案内する密封案内片２１が設けられている。尚、この密封案内片２１は、基部フランジ１５に一体的に形成されている。更に、基部フランジ１５における密封案内片２１の一側面には、後述する開閉弁２２を収容した開閉弁箱部２３が取り付けられる開閉弁取付部２４が設けられている。そして、基部フランジ１５には、密封案内片２１の内部側から開閉弁取付部２４まで延設されて開閉弁２２が案内されるスリット状の案内孔２５が設けられている。尚、基部フランジ１５の開閉弁取付部２４には、案内孔２５を閉塞するための蓋部材２６がボルト等の螺合部材２７を用いて取り付けられる。
【００２２】
更に、基部フランジ１５の密封案内片２１の上端部には、連結フランジ１８の下端部の鍔部１９を基部フランジ１５に向けて押し付けるための本発明における押付片としての押付部材２８がボルト等の螺合部材２９により取り付けられている。この押付部材２８は、断面視で略Ｌ字形状をなし、密封案内片２１の上端部から連結フランジ１８の下端部の鍔部１９に向かって屈曲された部材となっている。尚、本実施例では、連結フランジ１８の前後左右に４つの押付部材２８が設けられている。更に、前後左右４つの押付部材２８を設ける構成に限らず、特に図示はしないが、連結フランジ１８の前後に２つの押付部材２８を設けるようにしてもよいし、連結フランジ１８の左右に２つの押付部材２８を設けるようにしてもよい。
【００２３】
また、押付部材２８を密封案内片２１に固定している螺合部材２９には、押付部材２８の上下位置を調整する調整用ナット３０を有している。そして、螺合部材２９が基部フランジ１５に固定されているため、調整用ナット３０を調整することで、後述するように、押付部材２８の上下位置を調整することができ、この調整により連結フランジ１８の上下位置を調整して、基部フランジ１５と連結フランジ１８との連結部３１に、開閉弁２２を挿入可能な間隙部３２が形成できるようになっている（図４参照）。尚、この調整用ナット３０を有する螺合部材２９が本発明における間隙形成手段を構成している。
【００２４】
また、連結フランジ１８の下端部の鍔部１９の下面が平坦面となっているとともに、基部フランジ１５における密封案内片２１で囲まれた領域が案内孔２５の底面と連続する平坦面となっている。そして、これらの平坦面の間には、後述するように、挿入部１６，１７を開閉する開閉弁２２を挿入可能な間隙部３２が形成できるようになっている（図４参照）。更に、挿入部１６，１７は、板状をなす弁体である仕切弁１３を挿入可能なように横長のスリット状の孔部として形成されている。また、後述する開閉弁２２も板状をなす弁体として形成されている（図４参照）。
【００２５】
尚、連結フランジ１８の下端部の鍔部１９には、基部フランジ１５との密封状態を維持するためのシール部材３３，３４が設けられている（図６参照）。このシール部材３３，３４は、鍔部１９における下面と側周面に設けられている。また、鍔部１９の側周面のシール部材３３は、後述するように、連結フランジ１８が上下に移動されても、常に密封案内片２１の内面に接触され、密封性を維持することができる。
【００２６】
また、管ユニット１が長期間設置される敷設状態では、挿入部１７を閉塞するための蓋部材３５が連結フランジ１８の上面の仕切弁取付部２０にボルト等の螺合部材３６を用いて取り付けられる。また、蓋部材３５には、この蓋部材３５と仕切弁取付部２０との間を密封するシール部材３７が設けられる。
【００２７】
図２及び図３に示すように、不断流状態で工事を行う場合に、開閉弁２２を収容した開閉弁箱部２３を取り付ける際には、先ず基部フランジ１５の開閉弁取付部２４に取り付けられた蓋部材２６を取り外す。そして、この開閉弁取付部２４に開閉弁箱部２３をボルト等の螺合部材３８を用いて取り付ける。この開閉弁箱部２３を開閉弁取付部２４に取り付ける工程が本発明における開閉弁取付工程を構成している。尚、開閉弁取付部２４と開閉弁箱部２３との間は、蓋部材２６の密封に用いたシール部材３９により密封されている（図６参照）。
【００２８】
次に、図４に示すように、押付部材２８を固定している螺合部材２９の調整用ナット３０を操作して、連結フランジ１８を流体圧によって上方に移動させるようにし、基部フランジ１５及び連結フランジ１８の連結部３１に開閉弁２２を挿入可能な間隙部３２を形成する。この基部フランジ１５及び連結フランジ１８の連結部３１に間隙部３２を形成する工程が本発明における間隙形成工程を構成している。
【００２９】
次に、開閉弁２２を間隙部３２に挿入して挿入部１６，１７を開閉弁２２により閉塞する。この開閉弁２２を間隙部３２に挿入して挿入部１６，１７を開閉弁２２により閉塞する工程が本発明における開閉弁閉塞工程を構成している。尚、この状態では、開閉弁２２によって閉塞されることにより、連結フランジ１８の挿入部１７に流体の流入が阻止されるようになっている。また、この状態では、基部フランジ１５の挿入部１６まで管路部８の流体が流入される。尚、開閉弁２２を間隙部３２に挿入した後に、調整用ナット３０を調整して連結フランジ１８を若干下方に移動させて、基部フランジ１５及び連結フランジ１８により開閉弁２２を挟み込むようにしてもよい。
【００３０】
図４に示すように、連結フランジ１８の仕切弁取付部２０から蓋部材３５を取り外す。更に、連結フランジ１８の仕切弁取付部２０に、仕切弁１３を収容した仕切弁箱部１４をボルト等の螺合部材４０を用いて取り付ける。この連結フランジ１８の仕切弁取付部２０に、仕切弁１３を収容した仕切弁箱部１４を取り付ける工程が本発明における仕切弁取付工程を構成している。尚、仕切弁取付部２０と仕切弁箱部１４との間は、仕切弁箱部１４に設けられたシール部材４１により密封されている（図６参照）。
【００３１】
そして、開閉弁２２を開閉弁箱部２３に収容して挿入部１６，１７を開放するとともに、押付部材２８を固定している螺合部材２９の調整用ナット３０を操作して、連結フランジ１８を下方に移動させるようにし、基部フランジ１５及び連結フランジ１８の連結部３１に形成された間隙部３２を閉じるようにする。
【００３２】
尚、分岐部９の仕切弁取付装置１２’に対しても、前述した管路部８の仕切弁取付装置１２と同様の工程で仕切弁箱部１４を取り付けるようにする。そして、不断流状態で流体管５を流れる流体の迂回経路を確保する際には、分岐部９に取り付けた仕切弁箱部１４の仕切弁１３を下ろして分岐部９を閉塞した状態にし、分岐部９の開口を閉塞している蓋部材１０を取り外し、この分岐部９に迂回用の分岐管１１を取り付けるようにする（図３参照）。
【００３３】
そして、図５に示すように、分岐部９の仕切弁１３を引き上げて分岐部９を開放し、迂回用の分岐管１１に流体を流すとともに、管路部８に取り付けた仕切弁箱部１４の仕切弁１３を下ろして管路部８を閉塞した状態にする。すると、不断流状態で管ユニット１の下流側の流体管４にて工事を行えるようになる。
【００３４】
また、不断流状態での工事が終了して管ユニット１が長期間設置される敷設状態に戻す際には、先ず管路部８の仕切弁１３を引き上げて仕切弁箱部１４に収容して管路部８を開放し、下流側の流体管４に流体が流れるようにした状態にする。次に、分岐部９の仕切弁１３を下ろして分岐部９を閉塞した状態にし、迂回用の分岐管１１を取り外す。そして、分岐部９の開口を蓋部材１０により閉塞し、分岐部９の仕切弁１３を引き上げて仕切弁箱部１４に収容する（図４参照）。
【００３５】
次に、押付部材２８を固定している螺合部材２９の調整用ナット３０を操作して、連結フランジ１８を上方に移動させるようにし、基部フランジ１５及び連結フランジ１８の連結部３１に開閉弁２２を挿入可能な間隙部３２を形成する。
【００３６】
次に、開閉弁２２を間隙部３２に挿入して挿入部１６，１７を開閉弁２２により閉塞するとともに、仕切弁箱部１４を連結フランジ１８の仕切弁取付部２０から取り外す。そして、連結フランジ１８の仕切弁取付部２０に蓋部材３５を取り付ける（図２及び図３参照）。また、開閉弁２２を開閉弁箱部２３に収容して挿入部１６，１７を開放する。更に、押付部材２８を固定している螺合部材２９の調整用ナット３０を操作して、連結フランジ１８を下方に移動させるようにし、基部フランジ１５及び連結フランジ１８の連結部３１に形成された間隙部３２を閉じる。
【００３７】
次に、基部フランジ１５の開閉弁取付部２４から開閉弁箱部２３を取り外し、開閉弁取付部２４に蓋部材２６を取り付けるようにし、この蓋部材２６により案内孔２５を閉塞する。尚、分岐部９の仕切弁取付装置１２’の仕切弁箱部１４及び開閉弁箱部２３も同様の工程により取り外すようにする（図１参照）。
【００３８】
以上のように、本実施例における管ユニット１では、不断流工事を行う際には、密封案内片２１により密封状態を保ったまま、螺合部材２９の調整により連結部３１に間隙部３２を形成し、この間隙部３２に、開閉弁取付部２４に取り付けられた開閉弁箱部２３内の開閉弁２２を挿入して挿入部１６，１７を閉塞し、仕切弁取付部２０に取り付けられた蓋部材３５を取り外すとともに、仕切弁１３を収容した仕切弁箱部１４を仕切弁取付部２０に取り付けることで、不断流の状態で仕切弁１３を取り付けることができる。また、長期間留置する際には、仕切弁１３及び開閉弁２２の双方の弁体を仕切弁取付装置１２によって取り外しておくことができる。
【００３９】
また、押付部材２８及び基部フランジ１５に螺合される螺合部材２９の調整用ナット３０を進退させることで、押付部材２８の位置を変更することができ、この押付部材２８の位置の変更により連結部３１に間隙部３２を形成することができる。
【００４０】
また、開閉弁取付部２４は、密封案内片２１に設けられるとともに、密封案内片２１に、開閉弁２２が案内される案内孔２５が形成されることで、基部フランジ１５が有する密封案内片２１に、開閉弁２２を有する開閉弁箱部２３が取り付けられ、開閉弁２２を安定的に支持できるとともに、開閉弁２２が案内孔２５により案内されて、基部フランジ１５と連結フランジ１８との間の間隙部３２に開閉弁２２をスムーズに挿入できる。
【００４１】
また、管路部８の周面には、分岐部９が設けられることで、分岐部９に迂回用の分岐管１１を取り付けて流体の迂回経路を確保し、仕切弁１３により管路部８を閉塞して不断流工事を行うことができる。
【００４２】
また、管路部８の両端部に設けられて上流側及び下流側の各流体管４，５に接続される端部のいずれもが挿口部２，３して構成されることで、分岐部９に迂回用の分岐管１１を取り付けて流体の迂回経路を確保するための管ユニット１として敷設する際に、管ユニット１の向きを変更するだけで、上流側及び下流側のいずれの管ユニット１としても対応させることができる。
【実施例２】
【００４３】
次に、実施例２に係る管ユニット及び管ユニットに対する仕切弁の設置方法につき、図７を参照して説明する。尚、前記実施例と同一構成で重複する説明を省略する。前記実施例１では、連結フランジ１８を基部フランジ１５に向けて押し付けるための本発明における押付片としての押付部材２８が連結フランジ１８と別部材として構成されているが、図７に示す実施例２における連結フランジ１８’のように、連結フランジ１８’と押付片４２とを一体的に形成してもよい。
【００４４】
図７に示すように、実施例２における連結フランジ１８’では、連結フランジ１８’の下端部の鍔部１９から押付片４２が一体的に延設され、この押付片４２の上端部が螺合部材２９により基部フランジ１５の密封案内片２１の上端部に取り付けられている。尚、実施例２における螺合部材２９は、押付片４２を上下の双方から挟み込むように配置された上下２つの調整用ナット３０ａ，３０ｂを有している。そして、調整用ナット３０ａ，３０ｂを操作することで、連結フランジ１８’の上下位置を調整できるようになっている。例えば、調整用ナット３０ａ，３０ｂが上方に移動されると、それに伴い押付片４２が上方に移動し、調整用ナット３０ａ，３０ｂが下方に移動されると、それに伴い押付片４２が下方に移動するようになっている。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、管ユニット１の上流側及び下流側の端部のいずれもが挿口部２，３となっているが、管ユニット１の上流側及び下流側の端部のいずれもが受口部若しくは切断により形成された切断端部（図示略）となっている構成であってもよい。尚、管ユニット１の上流側及び下流側の端部は、一方が挿口部で他方が受口部となっている構成であってもよいし、一方が切断端部で他方が挿口部若しくは受口部となっているような挿口部、受口部、切断端部を組み合わせた構成となってもよい。
【００４７】
また、前記実施例では、管路部８側の仕切弁取付装置１２の基部フランジ１５が管路部８の上面に設けられるとともに、分岐部９側の仕切弁取付装置１２’の基部フランジ１５が分岐部９の上面に設けられる構成となっているが、基部フランジ１５が設けられる位置は、管路部８及び分岐部９の上面に限らず、管路部８及び分岐部９の側面や下面であってもよいし、管路部８及び分岐部９は、本実施例の構成に限られず、共に同一の面に設けられてもよいし、例えば、いずれか一方が上面に設けられ、他方が側面に設けられる構成であってもよい。
【００４８】
また、前記実施例では、開閉弁２２が、垂直方向に延設された挿入部１６，１７に対し、水平方向から直角に挿入されるようになっているが、開閉弁２２の挿入方向は水平方向に限らず、挿入部１６，１７に対して若干斜め方向から挿入されるようにしてもよい。更に、挿入部１６，１７に対してその周囲のいずれの方向から開閉弁２２が挿入されてもよい。
【００４９】
また、前記実施例では、基部フランジ１５側に開閉弁取付部２４及び案内孔２５が設けられる構成となっているが、連結フランジ１８側に開閉弁取付部２４及び案内孔２５を設ける構成としてもよい。
【符号の説明】
【００５０】
１                管ユニット
２，３            挿口部（接続部）
４，５            流体管
６，７            受口部
８                管路部
９                分岐部
１２，１２’      仕切弁取付装置（仕切弁手段）
１３              仕切弁
１４              仕切弁箱部
１５              基部フランジ
１６，１７        挿入部
１８，１８’      連結フランジ
２０              仕切弁取付部
２１              密封案内片
２２              開閉弁
２３              開閉弁箱部
２４              開閉弁取付部
２５              案内孔
２８              押付部材（押付片）
２９              螺合部材（間隙形成手段）
３０              調整用ナット（間隙形成手段）
３０ａ，３０ｂ    調整用ナット（間隙形成手段）
３１              連結部
３２              間隙部
３５              蓋部材
４２              押付片
【図１】
2013249864.tif 000003
【図２】
2013249864.tif 000004
【図３】
2013249864.tif 000005
【図４】
2013249864.tif 000006
【図５】
2013249864.tif 000007
【図６】
2013249864.tif 000008
【図７】
2013249864.tif 000009